(57)【要約】【課題】トルクを増加することにより省力化できる自転車の踏み装置を提供する。【解決手段】自転車のスプロケットとクランクの間に踏み装置が設けられ、踏み装置は、眼鏡レンチの一端にフライホィールを設けるためのラッチ状であるスリーブを形成することにより、構成され、フライホィールのギアがスリーブに噛合い、また、フライホィールの軸心がナットで螺合するように回転盤のスピンドルに嵌設されて固定され、スリーブの反対側の一端の底部に、摺動できるように補助棒の１対の軸受を設けるための長尺状のガードレールが形成され、補助棒の底端が鋼リングであり、両側に、それぞれ、パネルのシャフトを貫設するための軸受が嵌設され、眼鏡レンチによりトルクが増加されて、踏み力を節約できる。【選択図】図２
0003128367.tif 000002
【実用新案登録請求の範囲】
【請求項１】
主として、自転車のスプロケットとクランクの間に設けられる自転車の足踏み装置であって、
スプロケットのスピンドル上に踏み装置が嵌設され、スプロケットの前方に位置する棒体上に貫通孔が設けられ、当該貫通孔の両側に、それぞれ、回転できるようにクランクが枢着され、当該クランクの端部に、パネルのシャフトが螺合されるためのネジ穴が設けられ、
当該踏み装置に、眼鏡レンチがあり、当該眼鏡レンチの一端に、フライホィールが設けられるための、ラッチ状であるスリーブが形成され、フライホィールのギアが、スリーブに噛合い、また、当該フライホィールの軸心が、ナットで螺合するようにディスクスピンドルに嵌設されて固定され、スリーブの反対側の一端の底部に、補助棒の軸受を設けるための長尺状のガードレールが形成され、当該補助棒の底端が、鋼リングであり、両側に、それぞれ、パネルのシャフトを貫設するための軸受が嵌設される、
ことを特徴とする自転車の足踏み装置。
【請求項２】
当該スプロケットのスピンドルの末端に、それぞれ、フライホィールが嵌設されるための六角軸心段とスレッド段が形成され、当該眼鏡レンチのスリーブの両側に、それぞれ、リベットによって固定されるシールシートが設けられ、また、外側のシールシートに、パッドがあり、ナットで螺合することにより、スリーブとスプロケットのスレッド段が固定され、当該フライホィールの軸心が六角状であることを特徴とする請求項１に記載の自転車の足踏み装置。
【考案の詳細な説明】
【技術分野】
【０００１】
本考案は、自転車の踏み装置に関し、特に、トルクを増加して、踏むことがより省力できるものに関する。
【背景技術】
【０００２】
従来の自転車の伝達システムは、主として、円周式の足踏み方式で後輪を駆動し、そのため、トルクの効率が良くなく、即ち、クランク６０の一端にパネル６１が嵌設され、もう一端が、スプロケット６２の軸孔に貫設され、これにより、ライダーが足で当該パネル６１を踏むと、クランク６０が連動されて回転することにより、スプロケットにより、チェーンが連動され（図９を参照しながら）、また、クランク６０が一周回転することにより（即ち、円周式足踏みである）、当該スプロケット６２が一周回転し、そのため、トルクが小さくて省力できない問題がある。
【考案の開示】
【考案が解決しようとする課題】
【０００３】
本考案の主な目的は、スプロケットとクランクの間に踏み装置が設けられ、踏み装置にある眼鏡レンチの設計により、トルクが増加されて、省力できる自転車の足踏み装置を提供する。
【０００４】
本考案の他の目的は、踏み装置により、自転車の円周踏み式駆動の代わりに、往復踏み式を使用する自転車の足踏み装置を提供する。
【課題を解決するための手段】
【０００５】
請求項１の考案は、主として、自転車のスプロケットとクランクの間に設けられる自転車の足踏み装置であって、スプロケットのスピンドル上に踏み装置が嵌設され、スプロケットの前方に位置する棒体上に貫通孔が設けられ、当該貫通孔の両側に、それぞれ、回転できるようにクランクが枢着され、当該クランクの端部に、パネルのシャフトが螺合されるためのネジ穴が設けられ、当該踏み装置に、眼鏡レンチがあり、当該眼鏡レンチの一端に、フライホィールが設けられるための、ラッチ状であるスリーブが形成され、フライホィールのギアが、スリーブに噛合い、また、当該フライホィールの軸心が、ナットで螺合するようにディスクスピンドルに嵌設されて固定され、スリーブの反対側の一端の底部に、補助棒の軸受を設けるための長尺状のガードレールが形成され、当該補助棒の底端が、鋼リングであり、両側に、それぞれ、パネルのシャフトを貫設するための軸受が嵌設されることを特徴とする自転車の足踏み装置である。
【０００６】
請求項２の考案は、当該スプロケットのスピンドルの末端に、それぞれ、フライホィールが嵌設されるための六角軸心段とスレッド段が形成され、当該眼鏡レンチのスリーブの両側に、それぞれ、リベットによって固定されるシールシートが設けられ、また、外側のシールシートに、パッドがあり、ナットで螺合することにより、スリーブとスプロケットのスレッド段が固定され、当該フライホィールの軸心が六角状であることを特徴とする請求項１に記載の自転車の足踏み装置である。
【考案を実施するための最良の形態】
【０００７】
本考案は、図１乃至４を参照しながら、主として、自転車１０のスプロケット１１とクランク１２の間に、踏み装置２０が設けられ、当該踏み装置は、眼鏡レンチ３０とフライホィール４０及び補助棒５０からなる。
【０００８】
スプロケット１１のスピンドル１１１の末端に、それぞれ、眼鏡レンチ３０が嵌設されるための六角軸心段１１２とスレッド段１１３が形成され、また、スプロケット１１の前方に位置する棒体１３に、貫通孔１３１が設けられ、当該貫通孔１３１の両側に、それぞれ、回転できるようにクランク１２が枢着され、当該クランク１２の端部に、パネル１４のシャフト１４１を螺合するためのネジ穴１２１が設けられる。
【０００９】
当該眼鏡レンチ３０は、一端に、フライホィール４０（当該フライホィールが従来の自転車の構造であるため、説明を省略する）を設置するためのラッチ状３１１であるスリーブ３１が形成され、当該スリーブ３１のギア４１が、眼鏡レンチ３０に噛合い、当該スリーブ３１の両側に、それぞれ、リベット３３によって固定されるシールシート３２が設けられ、これにより、フライホィール４０が、スリーブ３１内に定位し、また、当該フライホィール４０の軸心４２が、六角状に形成され、これにより、当該フライホィール４０を、スプロケット１１の六角軸心段１１２に嵌設することができ、また、ナット３４で、眼鏡レンチ３０とスプロケット１１のスピンドル１１１のスレッド段１１３が螺合され、そして、ナット３４の前に、パッド３７が設けられ、スリーブ３１の反対側の一端の底部に、補助棒５０の軸受５１を設けられるための長尺状のガードレール３５が形成され、また、ガードレール３５の末端に、シールカバー３６によってシールされる。
【００１０】
当該補助棒５０は、上端に１対の軸受５１が設けられ、底端に、鋼リング５２が設けられ、また、両側に、それぞれ、パネル１４のシャフト１４１を貫設するための軸受５３が嵌設される。
【００１１】
ライダーが、足でパネル１４を踏むと（図５を参照しながら）、即ち、下へ踏むと、眼鏡レンチ３０により、フライホィール４０のギア４１が回転し、同時に、内部の回転盤４３が連動され、当該回転盤４３は、ストッパー４４の抵当によりスナップの力が形成されて、スプロケット１１のスピンドル１１１が連動されて回転し（図６を参照しながら）、そのため、スプロケット１１が回転することにより自転車の後輪が回転し、同時に、眼鏡レンチ３０が下へ移動すると、補助棒５０が、上端の軸受５１により摺動して変位し、そして、クランク１２により、パネル１４が最低点に変位し（図５を参照しながら）、この時、もう一側のクランクが、上記の作動により、逆方向に駆動され、即ち、パネル１４が最高点に変位し、上記の構成により、上下往復踏み式が形成される。また、パネル１４が、最低点から最高点へ変位する時（図７、８を参照しながら）、眼鏡レンチ３０によりフライホィール４０のギア４１が回転し、この時、フライホィール４０の回転盤４３がストッパー４４によって抵当されないため、ギア４１により回転盤４３が連動されて回転することがなく、回転盤４３がアイドルになり、そのため、スプロケット１１のスピンドル１１１が回転しなくて、後輪を駆動しない。上記の説明から分かるように、本考案は、眼鏡レンチ３０によりトルクが増加され、確実に踏み力を節約でき、また、上下踏みの往復式であるため、モーメントアームの増大によりトルクが増加されて、有効的に踏み力を節約できる。
【図面の簡単な説明】
【００１２】
【図１】本考案の組立て概念図
【図２】本考案の立体分解概念図
【図３】本考案の組立て断面概念図（１）
【図４】本考案の組立て断面概念図（２）
【図５】本考案を下へ踏む時の作動概念図（１）
【図６】本考案を下へ踏む時の作動概念図（２）
【図７】本考案のパネルが上へもとの位置に戻る時の作動概念図（１）
【図８】本考案のパネルが上へもとの位置に戻る時の作動概念図（２）
【図９】従来のものの立体分解概念図
【符号の説明】
【００１３】
１０    自転車
１１    スプロケット
１１１  スピンドル
１１２  六角軸心段
１１３  スレッド段
１２    クランク
１２１  ネジ穴
１３    棒体
１３１  貫通孔
１４    パネル
１４１  シャフト
２０    踏み装置
３０    眼鏡レンチ
３１    スリーブ
３１１  ラッチ状
３２    シールシート
３３    リベット
３４    ナット
３５    ガードレール
３６    シールカバー
３７    パッド
４０    フライホィール
４１    ギア
４２    軸心
４３    回転盤
４４    ストッパー
５０    補助棒
５１    軸受
５２    鋼リング
５３    軸受
従来
６０    クランク
６１    パネル
６２    スプロケット
【図１】
0003128367.tif 000003
【図２】
0003128367.tif 000004
【図３】
0003128367.tif 000005
【図４】
0003128367.tif 000006
【図５】
0003128367.tif 000007
【図６】
0003128367.tif 000008
【図７】
0003128367.tif 000009
【図８】
0003128367.tif 000010
【図９】
0003128367.tif 000011